【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
ヒトまたは動物の身体に埋込まれるのに好適な装置または該装置の埋め込み可能な装置部品であり、かつ前記身体内における材料もしくは信号の送達または収集のために装備される装置であって、装置または装置部品は、硬組織または対応する置換材料の上または中への固定にさらに好適であり、
装置または装置部品は、硬組織または置換材料の開口部（９）に挿入されるプラグ部分（Ｐ）と、硬組織または置換材料のそのような開口部の口の上に位置決めされるカバー部分（Ｃ）との少なくとも一方を含み、プラグまたはカバー部分は、熱可塑特性を有し、かつリングまたはリングに隣接した装置部分へのエネルギの印加により液化可能な材料の完全なリング（７）を含み、前記リング（７）は、プラグ部分（Ｐ）の断面の周囲、またはカバー部分（Ｃ）の組織対向面上に位置し、
装置または装置部品は、熱可塑特性を有する材料の少なくとも一部を液化する目的で、かつ材料を硬組織に接触させて、再凝固時に完全な封止リング（１１）を開口部の周囲に形成するために、リング（７）またはリング（７）に隣接した装置部分へのエネルギの伝達のために装備される、装置または装置部品。
【請求項２】
熱可塑特性を有する材料の完全なリングは、リング状溝に配置されたリング部または複数のリング部によって構成され、液化されると溝内を連続して流れ、埋込み時に完全なリングを形成することができる、請求項１に記載の装置または装置部品。
【請求項３】
装置は、硬組織層のアクセス不可能な側での材料もしくは信号の送達または収集のために装備され、プラグまたはカバー部分（Ｐ，Ｃ）の遠位側に配置された材料もしくは信号の送達または収集部分を備えるか、またはプラグまたはカバー部分（Ｐ，Ｃ）の遠位側の穿孔された、開窓された、または別のやり方で透過性を有する壁部分と、プラグまたはカバー部分（Ｐ，Ｃ）の近位側の不透過性の壁部分とを有する容器（３）を備えるか、またはプラグまたはカバー部分（Ｐ，Ｃ）で構成され、材料もしくは信号の送達または収集部分は、容器（３）内に配置されるかまたは配置可能である、請求項１または２に記載の装置または装置部品。
【請求項４】
装置は、硬組織層のアクセス可能な側での材料もしくは信号の送達または収集のために装備され、プラグまたはカバー部分（Ｐ，Ｃ）の近位側に配置された材料もしくは信号の送達または収集部分を備えるか、またはプラグまたはカバー部分（Ｐ，Ｃ）の遠位側の不透過性の壁セクションと、プラグまたはカバー部分（Ｐ，Ｃ）の近位側の穿孔された、開窓された、または別のやり方で透過性を有する壁部分とを有する容器（３）を備えるか、またはプラグまたはカバー部分（Ｐ，Ｃ）で構成され、材料もしくは信号の送達または収集部分は、容器（３）内に配置されるかまたは配置可能である、請求項１または２に記載の装置または装置部品。
【請求項５】
装置は、硬組織層のアクセス不可能な側での材料もしくは信号の送達または収集のために装備され、不透過性のプラグまたはカバー部分（Ｐ，Ｃ）と、プラグまたはカバー部分（Ｐ，Ｃ）から分離され、プラグまたはカバー部分（Ｐ，Ｃ）によって閉鎖可能な硬組織の開口部（９）に嵌合する材料もしくは信号の送達または収集部分と、を備える、請求項１または２に記載の装置または装置部品。
【請求項６】
材料もしくは信号の送達または収集部分は、薬剤、薬剤／担体組成、本質的に知られている薬剤送達システム、懸濁液もしくは基質中の生細胞、治療上もしくは予防的にもしくは別のやり方で有効な薬品、電子もしくは微小機械装置、ＲＦＩＤチップ、または粒子放射線源のうち少なくとも１つを含む、請求項３〜５のうちいずれか１項に記載の装置または装置部品。
【請求項７】
硬組織層のアクセス不可能な側に、そのアクセス可能な側からアクセスするためのアクセスポートとして装備される、請求項１または２に記載の装置または装置部品。
【請求項８】
熱可塑特性を有する材料のリング（７）と、リング（７）の内部に配置された隔壁要素（５０）とを有するプラグ部分（Ｐ）を備える、請求項７に記載の装置または装置部品。
【請求項９】
ヒトまたは動物の身体に埋込まれるのに好適な装置であり、かつ前記身体またはそのような装置の埋込み可能な装置部品内における材料もしくは信号の送達または収集のために装備される装置を、前記身体内の硬組織または対応する置換材料の上または中に固定させるシステムであって、
熱可塑特性を有する材料の完全なリングを含むプラグ部分およびカバー部分の少なくとも一方を設けた装置または装置部品を含み、前記リングは、プラグ部分の断面の周囲またはカバー部分の組織対向面内に位置し、
前記システムはさらに、
前記プラグ部分が開口部内に達するか、またはカバー部分が開口部の口の周囲の硬組織もしくは置換材料の表面に面し、かつ前記壁および前記表面の少なくとも一方の近傍の前記開口部の周囲に前記リングが延在するように、前記装置または装置部品を、前記硬組織または置換材料に設けた開口部に対して位置決めする手段を含み、前記開口部は、前記硬組織または置換材料の表面における口と、硬組織または置換材料の壁とを含み、さらに前記プラグまたはカバー部分の前記リングに適合化された断面を含み、
前記システムはさらに、
熱可塑特性を有する前記材料の少なくとも一部を液化するのに十分な時間前記リングにエネルギを伝達し、前記開口部の周囲全体において前記壁および前記表面の少なくとも一方の硬組織または置換材料に接触させ、エネルギを伝達した後に再凝固させて、前記開口部の周囲全体において前記壁および前記表面の少なくとも一方に封止接続する完全な封止リングを構成する手段を含む、システム。
【請求項１０】
ヒトまたは動物の身体に埋込まれるのに好適な装置であり、かつ前記身体またはそのような装置の埋込み可能な装置部品内における材料もしくは信号の送達または収集のために装備される装置を、前記身体内の硬組織または対応する置換材料の上または中に固定させるシステムであって、
熱可塑特性を有する材料のリング部または複数のリング部を有するリング状溝を含むプラグ部分およびカバー部分の少なくとも一方を設けた装置または装置部品を含み、前記リング状溝は、プラグ部分の断面の周囲またはカバー部分の組織対向面内に位置し、
前記システムはさらに、
プラグ部分が開口部内に達するか、またはカバー部分が開口部の口の周囲の硬組織もしくは置換材料の表面に面し、かつ前記壁および前記表面の少なくとも一方の近傍の前記開口部の周囲に前記リング状溝が延在するように、前記装置または装置部品を、前記硬組織または置換材料に設けた開口部に対して位置決めする手段を含み、前記開口部は、前記硬組織または置換材料の表面における口と、前記硬組織または置換材料の壁とを含み、さらに前記プラグまたはカバー部分の前記リング状溝に適合化された断面を含み、
前記システムはさらに、
熱可塑特性を有する前記材料の少なくとも一部を液化するのに十分な時間前記リング部にエネルギを伝達し、前記リング状溝にそって流れさせて完全なリングを形成し、前記開口部の周囲全体において前記壁および前記表面の少なくとも一方の硬組織または置換材料に接触させ、エネルギを伝達した後に再凝固させて、前記開口部の周囲全体において、前記壁および前記表面の少なくとも一方に封止接続する完全な封止リングを構成する手段を含む、システム。
【請求項１１】
ヒトまたは動物の身体に埋込まれるのに好適な装置であり、かつ前記身体またはそのような装置の埋込み可能な装置部品内における材料もしくは信号の送達または収集のために装備される装置を、前記身体内の硬組織または対応する置換材料の上または中に固定させるシステムであって、
熱可塑特性を有する材料の完全なリングまたはリング状溝内のそのようなリングの一部もしくは部分を含むプラグ部分およびカバー部分の少なくとも一方を設けた装置または装置部品を含み、前記リングまたはリング状溝は、プラグ部分の断面の周囲またはカバー部分の組織対向面内に位置し、
前記システムはさらに、
前記硬組織または置換材料の開口部に前記装置または装置部品を埋込む手段を含み、前記開口部は、前記硬組織または置換材料の表面において少なくとも部分的に口と、少なくとも部分的に前記硬組織または置換材料の壁とを含み、さらに前記プラグまたはカバー部分の前記リングまたはリング状溝に少なくとも部分的に適合化された断面を含み、
前記埋込む手段は、
前記プラグ部分が開口部内に達するか、またはカバー部分が開口部の口の周囲の前記硬組織もしくは置換材料の表面に面し、かつ前記リングまたはリング状溝が、前記壁および前記表面の少なくとも一方の近傍の前記開口部の周囲に少なくとも部分的に延在するように、前記装置または装置部品を前記開口部に対して位置決めする手段と、
熱可塑特性を有する前記材料の少なくとも一部を液化するのに十分な時間前記リングにエネルギを伝達し、該当する場合はリング状溝内で流れさせて完全なリングを形成し、前記開口部およびさらに埋込まれたまたは埋込み可能な装置の前記壁および前記表面の一部の前記硬組織または置換材料に接触させ、エネルギを伝達した後に再凝固させて、前記壁および前記表面およびさらに埋込まれたまたは埋込み可能な装置のうち少なくとも１つの一部に封止接続する封止リングの少なくとも一部を構成する手段とを含む、システム。
【請求項１２】
前記硬組織の開口部は、硬組織層を通ってアクセス可能な側からそのアクセス不可能な側に至る、請求項９〜１１のうちいずれか１項に記載のシステム。
【請求項１３】
エネルギを伝達する前記手段は、活性超音波装置に結合されたソノトロードを装置または装置部品の近位端に含み、それにより超音波振動エネルギを前記装置または装置部品に伝達すると同時に前記装置または装置部品を開口部内により深く押込む機能を有する、請求項９〜１１のうちいずれか１項に記載のシステム。
【請求項１４】
エネルギを伝達する前記手段は、レーザ光線または電気エネルギを装置または装置部品に伝達する機能を含む、請求項９〜１１のうちいずれか１項に記載のシステム。
【請求項１５】
硬組織は骨組織である、請求項９〜１１のうちいずれか１項に記載のシステム。
【請求項１６】
前記硬組織層は、皮質骨層、管状骨の壁、頭骨、および顔面骨のうちの１つである、請求項１２に記載のシステム。
【請求項１７】
前記硬組織に前記開口部を設けるために前記硬組織を打ち抜く打ち抜き工具、および、開口部を予め設けずに前記装置を前記硬組織を通って押し込むための手段のうちの、少なくとも一方を含む、請求項９〜１１のいずれか１項に記載のシステム。
【請求項１８】
前記打ち抜き工具および前記押し込むための手段のうちの少なくとも一方が、経皮的に動作する、請求項１７に記載のシステム。
【請求項１９】
前記打ち抜き工具および前記押し込むための手段のうちの少なくとも一方が、振動エネルギを利用して動作し、前記打ち抜き工具および前記押し込むための手段のうちの少なくとも一方は、熱可塑特性を有する材料の液化によって前記装置を硬組織に同時に固着する、請求項１８に記載のシステム。
【請求項２０】
骨組織の導管を通って延在する血管からの出血を止めるためのシステムであって、血管は、手術原因の骨表面における導管口の内部に開放端を有し、前記システムは、
導管口と寸法および形態が適合化され、熱可塑特性を有する材料のリングを外周の周囲に含む閉鎖要素を設ける手段と、
閉鎖要素を導管口の中または上に位置決めする手段と、
前記リングにエネルギを伝達し、熱可塑特性を有する前記材料の少なくとも一部を液化するのに十分な時間閉鎖要素を導管口内にさらに押込み、前記導管口の周囲全体において骨組織に接触させ、エネルギを伝達した後に再凝固させて、前記導管口の周囲全体において骨組織に封止接続する完全な封止リングを構成する手段とを含む、システム。
【手続補正２】
【補正対象書類名】明細書
【補正対象項目名】発明の名称
【補正方法】変更
【補正の内容】
【発明の名称】身体内での材料もしくは信号の送達または収集のために、ヒトまたは動物の身体に埋め込まれる装置または装置部品、およびその装置または装置部品をヒトまたは動物の身体内に固定するシステム